(57)【要約】【課題】全階床を不停止階設定の対象階とし、短時間で設定および解除の切り換えが可能であるエレベータの特定階回避運転装置を提供することを目的とする。【解決手段】この発明に係るエレベータの特定階回避運転装置は、エレベータのかごの運転を制御する運転制御手段と、運転制御手段に不停止階設定開始指令を伝達する指令伝達手段を備え、運転制御手段には、指令伝達手段より伝達された指令に基づいて、かごを不停止階設定可能モードにし、かご内操作盤の戸開釦と戸閉釦を同時に押した後に任意の階の釦を押すことにより、任意の階を不停止階に設定する制御部が設けられているものである。【選択図】図１
2006052057.tif 000002
【特許請求の範囲】
【請求項１】
エレベータのかごの運転を制御する運転制御手段と、
前記運転制御手段に不停止階設定開始指令を伝達する指令伝達手段とを備え、
前記運転制御手段には、前記指令伝達手段より伝達された指令に基づいて、前記かごを不停止階設定可能モードにし、かご内操作盤の戸開釦と戸閉釦を同時に押した後に任意の階の釦を押すことにより、前記任意の階を不停止階に設定する制御部が設けられた
エレベータの特定階回避運転装置。
【請求項２】
前記任意の階が不停止階に設定されているとき、前記制御部は前記任意の階の乗り場操作盤の呼び釦を押すことにより、前記任意の階の不停止の設定を解除するようになっていることを特徴とする請求項１に記載のエレベータの特定階回避運転装置。
【請求項３】
前記かご内に設けられ、前記不停止階に関して報知する第１の報知手段
を備えたことを特徴とする請求項１または請求項２に記載のエレベータの特定階回避運転装置。
【請求項４】
前記エレベータの乗り場に設けられ、前記不停止階に関して報知する第２の報知手段
を備えたことを特徴とする請求項１から請求項３の何れか１項に記載のエレベータの特定階回避運転装置。
【請求項５】
前記運転制御手段には、前記不停止階に設定された階を記憶する記憶部が設けられていることを特徴とする請求項１から請求項４の何れか１項に記載のエレベータの特定階回避運転装置。
【発明の詳細な説明】
【技術分野】
【０００１】
この発明は、任意の階を不停止に設定および解除するエレベータの特定階回避運転装置に関する。
【背景技術】
【０００２】
従来のエレベータのかご呼びサービス切り離し制御装置は、かご内操作盤に設置されている行き先階釦の階床表示プレートを取り出すことにより不停止階を設定し、プレートを戻すことにより不停止階の設定を解除していた（例えば、特許文献１参照）。
【０００３】
しかしながら、このエレベータのかご呼びサービス切り離し制御装置は、エレベータの設置時にあらかじめ設定された特定の階のみを対象としたものである。
【０００４】
【特許文献１】特開２０００−１２７２号公報
【発明の開示】
【発明が解決しようとする課題】
【０００５】
従来のエレベータのかご呼びサービス切り離し制御装置は、エレベータの設置時にあらかじめ設定された特定の階のみを対象としたものであり、エレベータの設置後に不停止階を変更する際は、エレベータの改造経費が必要になるという問題点があった。
【０００６】
この発明は、上記のような問題点を解決することを課題とするものであって、その目的は、全階床を不停止階設定の対象階とし、短時間で設定および解除の切り換えが可能であるエレベータの特定階回避運転装置を提供することである。
【課題を解決するための手段】
【０００７】
この発明に係るエレベータの特定階回避運転装置は、エレベータのかごの運転を制御する運転制御手段と、運転制御手段に不停止階設定開始指令を伝達する指令伝達手段を備え、運転制御手段には、指令伝達手段より伝達された指令に基づいて、かごを不停止階設定可能モードにし、かご内操作盤の戸開釦と戸閉釦を同時に押した後に任意の階の釦を押すことにより、任意の階を不停止階に設定する制御部が設けられているものである。
【発明の効果】
【０００８】
この発明のエレベータの特定階回避運転装置によれば、特に１台しかエレベータ設備のない現場において任意の階を不停止に設定することにより、エレベータを休止する等サービスの低下を招くことがない。
【発明を実施するための最良の形態】
【０００９】
実施の形態１．
図１はこの発明の実施の形態１におけるエレベータの特定階回避運転装置の構成を示す概略構成図である。ここで、運転制御手段１は、任意の階を不停止階に設定し、かつ不停止階設定を解除する制御部１１と、不停止階に設定された階を記憶する記憶部１２と、指令伝達手段である携帯電話４からの指令を受け取る受信部１３とを備えている。また、携帯電話４は運転制御手段１の外部より受信部１３に指令を送信する。なお、ここで指令伝達手段は携帯電話４であるとしたが、保守作業に用いる携帯用端末等の無線装置や、かご内操作盤２１に設けられたスイッチや暗証キー等の有線装置でもよい。
【００１０】
また、かご２はかご内操作盤２１と、かご２内に不停止階に関して報知する第１の報知手段である、表示器２２と、スピーカ２３とを備えている。
図２はこの発明の実施の形態１におけるエレベータの特定階回避運転装置のかご内操作盤２１の概略図である。ここで、表示器２２とスピーカ２３とはかご内操作盤２１と一体化されているが、かご２内の別の箇所に設けられていてもよい。
また、第１の報知手段は表示器２２とスピーカ２３とのどちらか一方でもよいし、別の装置でもよい。
【００１１】
また、乗り場３は乗り場操作盤３１と、乗り場３に不停止階に関して報知する第２の報知手段である、表示器３２と、スピーカ３３とを備えている。ここで、表示器３２とスピーカ３３とは乗り場操作盤３１付近に設けられているが、乗り場操作盤３１に一体的に設けられていてもよい。
また、第２の報知手段は表示器３２とスピーカ３３とのどちらか一方でもよいし、別の装置でもよい。
【００１２】
次に、不停止階の設定について、図１および図２を参照しながら説明する。
操作者が携帯電話４を用いて送信した不停止階設定開始の指令は、運転制御手段１内の受信部１３に受信され、受信部１３に接続された制御部１１よりかご２に不停止階の設定可能モードに移行する指令が出される。このとき、表示器２２とスピーカ２３より、操作者に対して不停止階の設定可能モードに移行したことを通知する。
【００１３】
続いて、不停止階の設定可能モードで、操作者がかご内操作盤２１の戸開釦２４と戸閉釦２５を同時に押すことにより、不停止未設定階の行き先釦２６が点灯する。操作者が不停止にする任意の階の行き先釦２６を押すと、かご２は上記不停止階に移動を開始する。そして不停止階に移動後、不停止階の設定が完了し、エレベータは特定階回避運転を始める。
【００１４】
ここで、不停止階の設定可能モードで既に不停止階に設定された階は、記憶部１２が記憶しており、行き先釦２６は点灯せず、不停止階に再度設定することができない。
【００１５】
次に、不停止階設定の解除について、図１を参照しながら説明する。操作者は不停止階設定中の階の乗り場３の乗り場操作盤３１にて、かご２を呼び出す。ここで、かご２が呼び出されることにより、不停止階の設定が解除され、エレベータは不停止階であった階に到着する。そして、エレベータは不停止階の設定可能モードに戻る。
【００１６】
その後、操作者は携帯電話４を用いて不停止階設定終了の指令を送信し、制御部１１が不停止階の設定可能モードを解除することにより、エレベータは正常運転に戻る。
【００１７】
また、エレベータが特定階回避運転をしているとき、かご２あるいは乗り場３の表示器２２、３２、あるいはスピーカ２３、３３が、乗客に対して不停止階に関する情報を提供する。
【００１８】
このように、携帯電話４を用いて、かご内操作盤２１で不停止階を設定することにより、任意の階を簡単に、短時間で不停止階に設定することができる。また、記憶部１２が不停止に設定済みの階を記憶することにより、不停止階の重複設定等の誤設定の可能性が低くなる。
【００１９】
以下、図３のフローチャートを参照しながら、この発明の実施の形態１に係るエレベータの特定階回避運転装置の不停止階の設定についてさらに詳細に説明する。ここで、１階から４階までに停止するエレベータにおいて、点検清掃作業のために３階を不停止階に設定する場合について説明する。
【００２０】
まず、エレベータは平常運転をしている（ステップＳ１）。ここで、エレベータの運転制御手段１に対し、作業員が携帯電話４から不停止階設定開始の指令を送信する（ステップＳ２）ことで不停止階設定可能モードに移行する。不停止階設定可能モードに移行すると、不停止階設定可能モードであることを第１の情報提供手段である表示器２２とスピーカ２３より作業員に通知する（ステップＳ３）。
【００２１】
続いて、不停止階設定可能モードにおいて、作業員がかご内操作盤２１の戸開釦２４と戸閉釦２５を同時に押すと不停止未設定階の行き先釦２６が点灯し、作業員は不停止を設定する３階の行き先釦２６を押す（ステップＳ４）。ここで、不停止設定済みの階はエレベータ運転制御手段１の記憶部１２が記憶している（ステップＳ５）ため、不停止設定済みの階の行き先釦２６は点灯せず、不停止未設定階しか設定を受け付けない（ステップＳ６）。
【００２２】
ここで、３階の行き先釦２６が押されると、かご２は３階に移動する（ステップＳ７）。点検清掃階に到着（ステップＳ８）すると、３階を不停止階にする設定が完了し（ステップＳ９）、特定階回避運転をする（ステップＳ１０）。
【００２３】
次に、図４のフローチャートを参照しながら、この発明の実施の形態１に係るエレベータの特定階回避運転装置の不停止階設定の解除についてさらに詳細に説明する。ここで、３階を不停止階に設定して点検清掃作業を行っている場合について説明する。
【００２４】
まず、エレベータは３階を不停止として特定階回避運転を行っている（ステップＳ１１）。作業員は３階での点検清掃作業が終了すると、３階の乗り場釦を押す（ステップＳ１２）。ここで、３階の乗り場釦を押すことにより、３階の不停止が解除されてかご２は３階に移動し（ステップＳ１３）、エレベータは不停止階設定可能モードに戻る（ステップＳ１４）。その後、作業員が携帯電話４から不停止階設定終了の指令を送信（ステップＳ１５）し、制御部１１が不停止階の設定可能モードを解除することにより、エレベータは正常運転に戻る（ステップＳ１６）。
【００２５】
次に、図５のフローチャートを参照しながら、この発明の実施の形態１に係るエレベータの特定階回避運転装置の特定階回避運転中のかご２内の状態についてさらに詳細に説明する。ここで、３階が不停止階に設定されているとする。
【００２６】
まず、エレベータは３階を不停止として特定階回避運転を行っている（ステップＳ２１）。ここで、乗客がかご内操作盤２１の３階の行き先釦２６を押す（ステップＳ２２）。このとき、かご２内に設けられた第１の情報伝達手段である表示器２２とスピーカ２３より、３階は点検清掃作業中であるため、不停止階である旨を通知する（ステップＳ２３）。
【００２７】
ここで、図５において、不停止に設定中の階の行き先釦２６が押されたときについて説明したが、不停止階に関する情報を常時かご２内あるいは乗り場３に表示器２２、３２、あるいはスピーカ２３、３３により通知していてもよい。
【００２８】
このように、エレベータの点検清掃作業において、任意の階を不停止に設定することにより、従来実施されてきたエレベータが無停止の状態で作業する必要がない。そのため、作業員が階段を利用して移動するという作業効率ダウンを招くことなく、また、清掃中に扉が開いた場合に作業員の指が挟まれたり、乗客に洗剤がかかったりするといった不具合を解消することができる。
【００２９】
なお、上記の実施の形態１では、エレベータの点検清掃作業を例にして説明したが、点検清掃時以外にも重要人物が任意の階に一時的に滞在する場合に、当該の階を不停止に設定する等、様々な場面でエレベータの特定階回避運転装置を用いることができる。
【図面の簡単な説明】
【００３０】
【図１】この発明の実施の形態１におけるエレベータの特定階回避運転装置の構成を示す概略構成図である。
【図２】図１に示したエレベータの特定階回避運転装置のかご内操作盤を示す概略図である。
【図３】図１に示したエレベータの特定階回避運転装置の任意の階を不停止階に設定するときのフローチャートである。
【図４】図１に示したエレベータの特定階回避運転装置の不停止階設定を解除するときのフローチャートである。
【図５】図１に示したエレベータの特定階回避運転装置の特定階回避運転中の不停止階に関する情報を提供するときのフローチャートである。
【符号の説明】
【００３１】
１  運転制御手段、２  かご、３  乗り場、４  携帯電話（指令伝達手段）、１１  制御部、１２  記憶部、２１  かご内操作盤、２２  表示器（第１の報知手段）、２３  スピーカ（第１の報知手段）、２４  戸開釦、２５  戸閉釦、２６  行き先釦、３１  乗り場操作盤、３２  表示器（第２の報知手段）、３３  スピーカ（第２の報知手段）。
【図１】
2006052057.tif 000003
【図２】
2006052057.tif 000004
【図３】
2006052057.tif 000005
【図４】
2006052057.tif 000006
【図５】
2006052057.tif 000007